(57)【特許請求の範囲】
【請求項１】
写真撮影装置において、
収納空間内に配置された撮影装置を備え、
前記収納空間を画定する壁には、撮影窓、操作部および情報記憶媒体用リーダライタが設けられており、当該情報記憶媒体用リーダライタが情報記憶媒体を読み取ることにより決済が行われ、
前記情報記憶媒体用リーダライタは、情報記憶媒体用リーダライタが所定の状態となっていることを示す表示灯を有し、
前記操作部は、決済方法を選択する決済方法選択画面を有し、
前記撮影装置、前記操作部および前記情報記憶媒体用リーダライタを制御するメイン制御部が設けられ、
当該メイン制御部は、前記決済方法選択画面において情報記憶媒体による決済が選択された場合に、前記情報記憶媒体用リーダライタの表示灯を点灯させ、次に、情報記憶媒体用リーダライタにおいて情報記憶媒体による決済が完了した場合に、前記情報記憶媒体用リーダライタの表示灯を消灯させ、その後、前記撮影装置によって写真を撮影するよう、前記撮影装置、前記操作部および前記情報記憶媒体用リーダライタを制御することを特徴とする写真撮影装置。
【請求項２】
前記写真撮影装置は、ボックス形状を有する証明写真撮影装置からなり、
当該証明写真撮影装置は、ボックス本体と、ボックス本体内に前記収納空間と撮影空間とを形成するよう設けられた内壁と、収納空間内に配置された前記撮影装置と、を備え、前記撮影装置により証明写真が撮影され、
前記内壁には、前記撮影窓、前記操作部および前記情報記憶媒体用リーダライタが設けられており、当該情報記憶媒体用リーダライタが情報記憶媒体を読み取ることにより決済が行われることを特徴とする請求項１に記載の写真撮影装置。
【請求項３】
写真撮影装置において、
収納空間内に配置された撮影装置およびプリンタを備え、
前記収納空間を画定する壁には、撮影窓、操作部および情報記憶媒体用リーダライタが設けられており、当該情報記憶媒体用リーダライタが情報記憶媒体を読み取ることにより決済が行われ、
前記情報記憶媒体用リーダライタは、情報記憶媒体用リーダライタが所定の状態となっていることを示す表示灯を有し、
前記操作部は、決済方法を選択する決済方法選択画面を有し、
前記撮影装置、前記プリンタ、前記操作部および前記情報記憶媒体用リーダライタを制御するメイン制御部が設けられ、
当該メイン制御部は、前記撮影装置によって写真を撮影し、次に、前記決済方法選択画面において情報記憶媒体による決済が選択された場合に、前記情報記憶媒体用リーダライタの表示灯を点灯させ、その後、情報記憶媒体用リーダライタにおいて情報記憶媒体による決済が完了した場合に、前記情報記憶媒体用リーダライタの表示灯を消灯させるとともに、写真のプリントアウトが行われるよう、前記撮影装置、前記プリンタ、前記操作部および前記情報記憶媒体用リーダライタを制御することを特徴とする写真撮影装置。
【請求項４】
前記写真撮影装置は、ボックス形状を有する証明写真撮影装置からなり、
当該証明写真撮影装置は、ボックス本体と、ボックス本体内に前記収納空間と撮影空間とを形成するよう設けられた内壁と、収納空間内に配置された前記撮影装置および前記プリンタと、を備え、前記撮影装置により証明写真が撮影され、
前記内壁には、前記撮影窓、前記操作部および前記情報記憶媒体用リーダライタが設けられており、当該情報記憶媒体用リーダライタが情報記憶媒体を読み取ることにより決済が行われることを特徴とする請求項３に記載の写真撮影装置。
【請求項５】
写真撮影装置において、
収納空間内に配置された撮影装置を備え、
前記収納空間を画定する壁には、撮影窓、操作部および情報記憶媒体用リーダライタが設けられており、当該情報記憶媒体用リーダライタが情報記憶媒体を読み取ることにより決済が行われ、
前記情報記憶媒体用リーダライタは、情報記憶媒体用リーダライタが所定の状態となっていることを示す表示灯を有し、
前記操作部は、決済方法を選択する決済方法選択画面と、撮影を開始する撮影ボタンを含む撮影選択画面とを有し、
前記撮影装置、前記操作部および前記情報記憶媒体用リーダライタを制御するメイン制御部が設けられ、
前記メイン制御部は、前記決済方法選択画面において情報記憶媒体による決済が選択された場合に、前記情報記憶媒体用リーダライタの表示灯を点灯させ、次に、情報記憶媒体用リーダライタにおいて情報記憶媒体による決済が完了し、その後、前記撮影選択画面において撮影ボタンが押された場合に、前記情報記憶媒体用リーダライタの表示灯を消灯させ、次に、前記撮影装置によって写真を撮影するよう、前記撮影装置、前記操作部および前記情報記憶媒体用リーダライタを制御することを特徴とする写真撮影装置。
【請求項６】
写真撮影装置において、
収納空間内に配置された撮影装置を備え、
前記収納空間を画定する壁には、撮影窓、操作部および情報記憶媒体用リーダライタが設けられており、当該情報記憶媒体用リーダライタが情報記憶媒体を読み取ることにより決済が行われ、
前記情報記憶媒体用リーダライタは、情報記憶媒体用リーダライタが所定の状態となっていることを示す表示灯を有し、
前記操作部は、決済方法を選択する決済方法選択画面と、撮影を開始する撮影ボタンを含む撮影選択画面とを有し、
前記撮影装置、前記操作部および前記情報記憶媒体用リーダライタを制御するメイン制御部が設けられ、
前記写真撮影装置は、収納空間内に配置され、撮影された写真をプリントアウトするプリンタを更に備え、当該プリンタは前記メイン制御部により制御され、
前記メイン制御部は、前記撮影選択画面において撮影ボタンが押された場合に、前記情報記憶媒体用リーダライタの表示灯を消灯させ、その後、前記撮影装置によって写真を撮影し、次に、前記決済方法選択画面において情報記憶媒体による決済が選択された場合に、前記情報記憶媒体用リーダライタの表示灯を点灯させ、その後、情報記憶媒体用リーダライタにおいて情報記憶媒体による決済が完了した場合に、写真のプリントアウトが行われるよう、前記撮影装置、前記プリンタ、前記操作部および前記情報記憶媒体用リーダライタを制御することを特徴とする写真撮影装置。
【請求項７】
写真撮影装置において、
収納空間内に配置された撮影装置を備え、
前記収納空間を画定する壁には、撮影窓、操作部および情報記憶媒体用リーダライタが設けられており、当該情報記憶媒体用リーダライタが情報記憶媒体を読み取ることにより決済が行われ、
前記情報記憶媒体用リーダライタは、情報記憶媒体用リーダライタが所定の状態となっていることを示す表示灯を有し、
前記操作部は、決済方法を選択する決済方法選択画面と、撮影を開始する撮影ボタンを含む撮影選択画面とを有し、
前記撮影装置、前記操作部および前記情報記憶媒体用リーダライタを制御するメイン制御部が設けられ、
前記写真撮影装置は、収納空間内に配置され、撮影された写真をプリントアウトするプリンタを更に備え、当該プリンタは前記メイン制御部により制御され、
前記メイン制御部は、決済方法選択画面において情報記憶媒体による決済が選択された場合であって、その後に前記撮影選択画面において撮影ボタンが押された場合に、前記情報記憶媒体用リーダライタの表示灯を消灯させ、次に、前記撮影装置によって写真を撮影し、その後、前記情報記憶媒体用リーダライタの表示灯を点灯させ、次に、情報記憶媒体用リーダライタにおいて情報記憶媒体による決済が完了した場合に、写真のプリントアウトが行われるよう、前記撮影装置、前記プリンタ、前記操作部および前記情報記憶媒体用リーダライタを制御することを特徴とする写真撮影装置。
【請求項８】
前記写真撮影装置は、ボックス形状を有する証明写真撮影装置からなり、
当該証明写真撮影装置は、ボックス本体と、ボックス本体内に前記収納空間と撮影空間とを形成するよう設けられた内壁と、収納空間内に配置された前記撮影装置と、を備え、前記撮影装置により証明写真が撮影され、
前記内壁には、前記撮影窓、前記操作部および前記情報記憶媒体用リーダライタが設けられており、当該情報記憶媒体用リーダライタが情報記憶媒体を読み取ることにより決済が行われることを特徴とする請求項５乃至７のいずれかに記載の写真撮影装置。
【請求項９】
前記情報記憶媒体用リーダライタに電力を供給するメイン電源部を更に備え、当該メイン電源部は前記メイン制御部により制御され、
前記メイン制御部は、前記メイン電源部が前記情報記憶媒体用リーダライタへの電力供給を停止し、これによって前記情報記憶媒体用リーダライタの表示灯を消灯させるよう、前記メイン電源部および前記情報記憶媒体用リーダライタを制御することを特徴とする請求項１乃至８のいずれかに記載の写真撮影装置。
【発明の詳細な説明】
【技術分野】
【０００１】
本発明は、収納空間内に配置された撮影装置を備えた写真撮影装置に係り、とりわけ、前記収納空間を画定する壁に情報記憶媒体用リーダライタが設けられている写真撮影装置に関する。
【背景技術】
【０００２】
近年、アンテナコイルとＩＣチップとを内蔵した非接触ＩＣカード（情報記憶媒体）を用いたサービスが、日常社会において急速に普及してきている。非接触ＩＣカードは、ホスト装置に設けられた非接触ＩＣカード用リーダライタとの間において無線でデータ通信を行うことができる。このため、非接触ＩＣカードを財布などの中に入れたままの状態であってもデータ通信を行うことが可能となり、利便性が高い。このような利便性のため、非接触ＩＣカードを用いたサービスが、例えば交通機関の改札システムや、オフィスビルにおける入館・入室用システムなどにおいて利用されている。
【０００３】
また近年においては、このような非接触ＩＣカードを用いたサービスが、商品を販売する自動販売機における料金の決済手段としても用いられている。例えば特許文献１において、缶またはペットボトル入りの飲料を販売する自動販売機に設けられ、電子マネー情報が記憶された情報記憶媒体、例えば非接触ＩＣカードに対して決済処理を行うことの可能な非接触ＩＣカード用リーダライタ、および当該リーダライタを備えた自動販売機が提案されている。
【０００４】
図１１は、非接触ＩＣカード用リーダライタ１０１を備えた一般的な飲料用自動販売機１００を示す正面図である。図１１に示すように、非接触ＩＣカード用リーダライタ１０１は一般に、非接触ＩＣカード用リーダライタ１０１が所定の状態となっていること、例えば非接触ＩＣカード用リーダライタ１０１が動作可能状態となっていることを示す表示灯１０２を有している。非接触ＩＣカード用リーダライタ１０１が動作可能となっている場合、非接触ＩＣカード用リーダライタ１０１に非接触ＩＣカード（図示せず）をかざすことにより決済が行われる。
【先行技術文献】
【特許文献】
【０００５】
【特許文献１】特開２００９−２０５６３２号公報
【発明の概要】
【発明が解決しようとする課題】
【０００６】
ところで、証明写真やシール用の写真などを撮影する写真撮影装置においても、より容易な料金決済を実現するため、上述の非接触ＩＣカード用リーダライタを設けることが求められている。写真撮影装置は、収納空間内に配置された撮影装置を備えており、一般に、この収納空間を画定している壁の一部に非接触ＩＣカード用リーダライタが設けられる。
【０００７】
上述のように、非接触ＩＣカード用リーダライタは一般に、非接触ＩＣカード用リーダライタが所定の状態となっていることを示す表示灯を有している。この場合、内壁に設けられた非接触ＩＣカード用リーダライタの表示灯が点灯すると、表示灯の点灯が被撮影者の一部、例えば被撮影者が着用している眼鏡に映り込むことが考えられる。写真の撮影中にこのような表示灯の点灯の映り込みが生じると、撮影された写真の一部に表示灯の点灯が表示されることとなる。このような表示灯の点灯が映り込んだ写真は、証明写真やシール用の写真などとして不適切である。
【０００８】
本発明は、このような課題を効果的に解決し得る写真撮影装置を提供することを目的とする。
【課題を解決するための手段】
【０００９】
本発明による第１の写真撮影装置は、収納空間内に配置された撮影装置を備え、前記収納空間を画定する壁には、撮影窓、操作部および情報記憶媒体用リーダライタが設けられており、当該情報記憶媒体用リーダライタが情報記憶媒体を読み取ることにより決済が行われ、前記情報記憶媒体用リーダライタは、情報記憶媒体用リーダライタが所定の状態となっていることを示す表示灯を有し、前記操作部は、決済方法を選択する決済方法選択画面を有し、前記撮影装置、前記操作部および前記情報記憶媒体用リーダライタを制御するメイン制御部が設けられ、当該メイン制御部は、前記決済方法選択画面において情報記憶媒体による決済が選択された場合に、前記情報記憶媒体用リーダライタの表示灯を点灯させ、次に、情報記憶媒体用リーダライタにおいて情報記憶媒体による決済が完了した場合に、前記情報記憶媒体用リーダライタの表示灯を消灯させ、その後、前記撮影装置によって写真を撮影するよう、前記撮影装置、前記操作部および前記情報記憶媒体用リーダライタを制御することを特徴とする。
【００１０】
本発明の第１の写真撮影装置は、ボックス形状を有する証明写真撮影装置からなっていてもよい。この場合、当該証明写真撮影装置は、ボックス本体と、ボックス本体内に前記収納空間と撮影空間とを形成するよう設けられた内壁と、収納空間内に配置された前記撮影装置と、を備え、前記撮影装置により証明写真が撮影される。また前記内壁には、前記撮影窓、前記操作部および前記情報記憶媒体用リーダライタが設けられており、当該情報記憶媒体用リーダライタが情報記憶媒体を読み取ることにより決済が行われる。
【００１１】
本発明による第２の写真撮影装置は、収納空間内に配置された撮影装置およびプリンタを備え、前記収納空間を画定する壁には、撮影窓、操作部および情報記憶媒体用リーダライタが設けられており、当該情報記憶媒体用リーダライタが情報記憶媒体を読み取ることにより決済が行われ、前記情報記憶媒体用リーダライタは、情報記憶媒体用リーダライタが所定の状態となっていることを示す表示灯を有し、前記操作部は、決済方法を選択する決済方法選択画面を有し、前記撮影装置、前記プリンタ、前記操作部および前記情報記憶媒体用リーダライタを制御するメイン制御部が設けられ、当該メイン制御部は、前記撮影装置によって写真を撮影し、次に、前記決済方法選択画面において情報記憶媒体による決済が選択された場合に、前記情報記憶媒体用リーダライタの表示灯を点灯させ、その後、情報記憶媒体用リーダライタにおいて情報記憶媒体による決済が完了した場合に、前記情報記憶媒体用リーダライタの表示灯を消灯させるとともに、写真のプリントアウトが行われるよう、前記撮影装置、前記プリンタ、前記操作部および前記情報記憶媒体用リーダライタを制御することを特徴とする。
【００１２】
本発明の第２の写真撮影装置は、ボックス形状を有する証明写真撮影装置からなっていてもよい。この場合、当該証明写真撮影装置は、ボックス本体と、ボックス本体内に前記収納空間と撮影空間とを形成するよう設けられた内壁と、収納空間内に配置された前記撮影装置および前記プリンタと、を備え、前記撮影装置により証明写真が撮影される。また前記内壁には、前記撮影窓、前記操作部および前記情報記憶媒体用リーダライタが設けられており、当該情報記憶媒体用リーダライタが情報記憶媒体を読み取ることにより決済が行われる。
【００１３】
本発明による第３の写真撮影装置は、収納空間内に配置された撮影装置を備え、前記収納空間を画定する壁には、撮影窓、操作部および情報記憶媒体用リーダライタが設けられており、当該情報記憶媒体用リーダライタが情報記憶媒体を読み取ることにより決済が行われ、前記情報記憶媒体用リーダライタは、情報記憶媒体用リーダライタが所定の状態となっていることを示す表示灯を有し、前記操作部は、決済方法を選択する決済方法選択画面と、撮影を開始する撮影ボタンを含む撮影選択画面とを有し、前記撮影装置、前記操作部および前記情報記憶媒体用リーダライタを制御するメイン制御部が設けられ、前記メイン制御部は、前記撮影選択画面において撮影ボタンが押された場合に、前記情報記憶媒体用リーダライタの表示灯を消灯させ、次に、前記撮影装置によって写真を撮影するよう、前記撮影装置、前記操作部および前記情報記憶媒体用リーダライタを制御することを特徴とする。
【００１４】
本発明による第３の写真撮影装置において、前記メイン制御部は、前記決済方法選択画面において情報記憶媒体による決済が選択された場合に、前記情報記憶媒体用リーダライタの表示灯を点灯させ、次に、情報記憶媒体用リーダライタにおいて情報記憶媒体による決済が完了し、その後、前記撮影選択画面において撮影ボタンが押された場合に、前記情報記憶媒体用リーダライタの表示灯を消灯させ、次に、前記撮影装置によって写真を撮影するよう、前記撮影装置、前記操作部および前記情報記憶媒体用リーダライタを制御してもよい。
【００１５】
本発明による第３の写真撮影装置において、収納空間内に配置され、撮影された写真をプリントアウトするプリンタを更に備え、当該プリンタが前記メイン制御部により制御されてもよい。この場合、前記メイン制御部は、前記撮影選択画面において撮影ボタンが押された場合に、前記情報記憶媒体用リーダライタの表示灯を消灯させ、その後、前記撮影装置によって写真を撮影し、次に、前記決済方法選択画面において情報記憶媒体による決済が選択された場合に、前記情報記憶媒体用リーダライタの表示灯を点灯させ、その後、情報記憶媒体用リーダライタにおいて情報記憶媒体による決済が完了した場合に、写真のプリントアウトが行われるよう、前記撮影装置、前記プリンタ、前記操作部および前記情報記憶媒体用リーダライタを制御してもよい。
【００１６】
本発明による第３の写真撮影装置において、収納空間内に配置され、撮影された写真をプリントアウトするプリンタを更に備え、当該プリンタが前記メイン制御部により制御されてもよい。この場合、前記メイン制御部は、決済方法選択画面において情報記憶媒体による決済が選択された場合であって、その後に前記撮影選択画面において撮影ボタンが押された場合に、前記情報記憶媒体用リーダライタの表示灯を消灯させ、次に、前記撮影装置によって写真を撮影し、その後、前記情報記憶媒体用リーダライタの表示灯を点灯させ、次に、情報記憶媒体用リーダライタにおいて情報記憶媒体による決済が完了した場合に、写真のプリントアウトが行われるよう、前記撮影装置、前記プリンタ、前記操作部および前記情報記憶媒体用リーダライタを制御してもよい。
【００１７】
本発明の第３の写真撮影装置は、ボックス形状を有する証明写真撮影装置からなっていてもよい。この場合、当該証明写真撮影装置は、ボックス本体と、ボックス本体内に前記収納空間と撮影空間とを形成するよう設けられた内壁と、収納空間内に配置された前記撮影装置と、を備え、前記撮影装置により証明写真が撮影される。また前記内壁には、前記撮影窓、前記操作部および前記情報記憶媒体用リーダライタが設けられており、当該情報記憶媒体用リーダライタが情報記憶媒体を読み取ることにより決済が行われる。
【００１８】
本発明による第１乃至第３の写真撮影装置において、前記情報記憶媒体用リーダライタに電力を供給するメイン電源部を更に備え、当該メイン電源部は前記メイン制御部により制御されてもよい。この場合、前記メイン制御部は、前記メイン電源部が前記情報記憶媒体用リーダライタへの電力供給を停止し、これによって前記情報記憶媒体用リーダライタの表示灯を消灯させるよう、前記メイン電源部および前記情報記憶媒体用リーダライタを制御してもよい。
【発明の効果】
【００１９】
本発明の第１の写真撮影装置によれば、メイン制御部は、決済方法選択画面において情報記憶媒体による決済が選択された場合に、情報記憶媒体用リーダライタの表示灯を点灯させ、次に、情報記憶媒体用リーダライタにおいて情報記憶媒体による決済が完了した場合に、情報記憶媒体用リーダライタの表示灯を消灯させ、その後、撮影装置によって写真を撮影するよう、撮影装置、操作部および情報記憶媒体用リーダライタを制御する。このため、撮影装置によって写真が撮影されている間、情報記憶媒体用リーダライタの表示灯を消灯させることができる。このことにより、写真の撮影中、被撮影者の一部に表示灯の点灯が映り込むのを防ぐことができる。
【００２０】
本発明の第２の写真撮影装置によれば、メイン制御部は、撮影装置によって写真を撮影し、次に、決済方法選択画面において情報記憶媒体による決済が選択された場合に、情報記憶媒体用リーダライタの表示灯を点灯させ、その後、情報記憶媒体用リーダライタにおいて情報記憶媒体による決済が完了した場合に、情報記憶媒体用リーダライタの表示灯を消灯させるとともに、写真のプリントアウトが行われるよう、撮影装置、プリンタ、操作部および情報記憶媒体用リーダライタを制御する。このため、撮影装置によって写真が撮影されている間、情報記憶媒体用リーダライタの表示灯を消灯させることができる。このことにより、写真の撮影中、被撮影者の一部に表示灯の点灯が映り込むのを防ぐことができる。
【００２１】
本発明の第３の写真撮影装置によれば、メイン制御部は、撮影選択画面において撮影ボタンが押された場合に、情報記憶媒体用リーダライタの表示灯を消灯させ、次に、撮影装置によって写真を撮影するよう、撮影装置、操作部および情報記憶媒体用リーダライタを制御する。このため、撮影装置によって写真が撮影されている間、情報記憶媒体用リーダライタの表示灯を消灯させることができる。このことにより、写真の撮影中、被撮影者の一部に表示灯の点灯が映り込むのを防ぐことができる。
【図面の簡単な説明】
【００２２】
【図１】図１は、本発明の第１の実施の形態において、証明写真の撮影手順を示すシーケンス図。
【図２】図２（ａ）は、本発明の第１の実施の形態における証明写真撮影装置を示す斜視図、図２（ｂ）は、本発明の実施の形態において、証明写真撮影装置の全体構成から天井部を便宜的に取り除いた状態を示す平面図。
【図３】図３は、本発明の第１の実施の形態における証明写真撮影装置の内壁を示す正面図。
【図４】図４は、図３に示す内壁に設けられた非接触ＩＣカード用リーダライタを拡大して示す図。
【図５】図５は、本発明の第１の実施の形態における証明写真撮影装置を示す機能ブロック図。
【図６】図６（ａ）は、本発明の第１の実施の形態において、操作部の決済方法選択画面を示す図、図６（ｂ）は、本発明の第１の実施の形態において、操作部の撮影選択画面を示す図。
【図７】図７は、本発明の第２の実施の形態において、証明写真の撮影手順を示すシーケンス図。
【図８】図８は、本発明の第３の実施の形態において、証明写真の撮影手順を示すシーケンス図。
【図９】図９は、本発明の第４の実施の形態において、証明写真の撮影手順を示すシーケンス図。
【図１０】図１０は、本発明の第５の実施の形態において、証明写真の撮影手順を示すシーケンス図。
【図１１】図１１は、非接触ＩＣカード用リーダライタを備えた一般的な飲料用自動販売機を示す正面図。
【発明を実施するための形態】
【００２３】
第１の実施の形態
以下、図面を参照して、本発明の第１の実施の形態について説明する。はじめに図２（ａ）（ｂ）を参照して、証明写真撮影装置（写真撮影装置）１０の全体構造について説明する。
【００２４】
証明写真撮影装置
図２（ａ）（ｂ）に示すように、ボックス形状を有する証明写真撮影装置１０は、ボックス本体１１と、ボックス本体１１内に収納空間１６と撮影空間１５とを形成するよう設けられた内壁２０とを備えている。また図２（ａ）（ｂ）に示すように、ボックス本体１１は、一方の側壁１１ｂと他方の側壁１１ｃとを有しており、このうち他方の側壁１１ｃには、後述するプリンタ１９によりプリントアウトされた証明写真を取り出す写真取出部１４、および被撮影者がボックス本体１１内部に出入する出入口１２が形成されている。図２（ａ）に示すように、出入口１２には、証明写真撮影を行う際に外部からの光を遮断する遮光カーテン１３が取り付けられている。
【００２５】
また図２（ｂ）に示すように、撮影空間１５内には、証明写真撮影中に被撮影者が座る椅子１７が設置され、また収納空間１６内には、内壁２０に設けられた撮影窓２１（後述）を介して被撮影者を撮影する撮影装置１８と、撮影した証明写真をプリントアウトするプリンタ１９とが配置されている。また後述するように、内壁２０には非接触ＩＣカード用リーダライタ３０が設けられている。
【００２６】
内壁
次に図３を参照して、内壁２０について詳述する。図３は、撮影空間１５側から見た場合の内壁２０を示す正面図である。図３に示すように、内壁２０には、撮影窓２１、操作部２２および非接触ＩＣカード用リーダライタ（情報記憶媒体用リーダライタ）３０が設けられている。
【００２７】
このうち撮影窓２１は、収納空間１６内に設置された撮影装置１８によって撮影空間１５内の被撮影者を撮影する際の窓となる部分であり、椅子１７に腰掛けている被撮影者の顔の高さに対応する高さに形成されている。また操作部２２は、撮影に関する情報を表示するとともに、撮影に関する操作を行うものであり、例えば操作用タッチパネルからなる。なお撮影に関する情報は、操作部２２に表示されるとともに、操作部２２の下方に設けられたスピーカ２６を介して音声で被撮影者に提供される。
【００２８】
非接触ＩＣカード用リーダライタ３０は、後述するように、アンテナ部と、アンテナ部用の送受信回路を含むリーダライタ用制御部とを有している。これらアンテナおよびリーダライタ用制御部を用いることにより、非接触ＩＣカード用リーダライタ３０と、被撮影者が所有する非接触ＩＣカード（情報記憶媒体）との間で無線データ通信が行われ、これによって、非接触ＩＣカード内の情報記憶部の情報の読み取り、または情報記憶部への情報の書き込みが行われる。この場合、非接触ＩＣカード内の情報記憶部に電子マネーに関する情報を書き込んでおくことにより、証明写真撮影の決済を電子マネーによって行うことが可能となる。
【００２９】
また図３に示すように、内壁２０の上部には、撮影用の照明部２３が設けられており、撮影窓２１の近傍には、証明写真撮影の決済を現金で行うための現金課金部２４が設けられている。図１に示すように、現金課金部２４は、紙幣投入部２４ａと、硬貨投入部２４ｂと、返却レバー２４ｃとからなる。また現金課金部２４の下方には、釣銭を返却する釣銭取出部２５が設けられている。
【００３０】
非接触ＩＣカード用リーダライタ
次に図４および図５を参照して、非接触ＩＣカード用リーダライタ３０についてさらに説明する。はじめに図４を参照して、非接触ＩＣカード用リーダライタ３０の外観について説明する。
【００３１】
図４に示すように、非接触ＩＣカード用リーダライタ３０は、非接触ＩＣカード用リーダライタ３０が所定の状態となっていること、例えば非接触ＩＣカード用リーダライタ３０が動作可能状態となっていることを示す表示灯、例えばＬＥＤ３１と、非接触ＩＣカードの読取可能範囲を示すリング３２とを有している。このうちＬＥＤ３１は、非接触ＩＣカード用リーダライタ３０が動作可能状態である場合に点灯され、非接触ＩＣカード用リーダライタ３０が動作不能状態である場合に消灯される。ここで「動作可能状態」とは、後述するメイン制御部４０からの命令に基づいて非接触ＩＣカード用リーダライタ３０が決済処理の準備を行うことができる状態のことであり、例えば、メイン制御部４０から後述するリーダライタ用制御部３５に動作指示が出されている状態のことである。一方、「動作不能状態」とは、例えばメイン制御部４０からリーダライタ用制御部３５への動作指示が解除された状態のことである。
【００３２】
またリング３２は、非接触ＩＣカード用リーダライタ３０が決済待ち状態の場合に点灯または点滅させられ、それ以外の期間に消灯される。ここで「決済待ち状態」とは、非接触ＩＣカード用リーダライタ３０に非接触ＩＣカードをかざすと決済処理が行われる状態のことである。なお、「動作可能状態」であって「決済待ち状態」ではないときに非接触ＩＣカード用リーダライタ３０に非接触ＩＣカードがかざされた場合、当該非接触ＩＣカードに記憶されている電子マネーの残高が操作部２２に表示されるよう、非接触ＩＣカード用リーダライタ３０が設計されていてもよい。また図４に示すように、非接触ＩＣカード用リーダライタ３０の略中央部には、非接触ＩＣカードの形状やシンボルを示す標識３３が表示されている。
【００３３】
図３および図４に示すように、非接触ＩＣカード用リーダライタ３０のＬＥＤ３１は、撮影空間１５内の被撮影者から視認されるよう配置されている。また本実施の形態において、ＬＥＤ３１から放出される光の輝度は、前述の操作部２２から放出される光の輝度よりも高くなっていてもよい。このような高輝度のＬＥＤ３１が点灯すると、ＬＥＤ３１の点灯が撮影空間１５内の被撮影者の一部、例えば被撮影者が着用している眼鏡に映り込むことが考えられる。本実施の形態においては、後述するように、このような映り込みが証明写真の撮影中に生じないよう証明写真撮影装置１０が制御される。
【００３４】
次に図５を参照して、非接触ＩＣカード用リーダライタ３０の機能について説明する。図５は、証明写真撮影装置１０の機能ブロック図である。図５に示すように、証明写真撮影装置１０には、撮影装置１８、プリンタ１９、操作部２２および非接触ＩＣカード用リーダライタ３０を制御するメイン制御部４０と、メイン制御部４０により制御され、非接触ＩＣカード用リーダライタ３０に電力を供給するメイン電源部４１とが設けられている。
【００３５】
また図５に示すように、非接触ＩＣカード用リーダライタ３０は、前述のＬＥＤ３１およびリング３２に加えて、被撮影者が所有する非接触ＩＣカード５０との間で無線データ通信を行うアンテナ部３４と、メイン制御部４０からの命令に基づいてアンテナ部３４における通信を制御するリーダライタ用制御部３５と、メイン電源部４１からの電力をＬＥＤ３１、リング３２、アンテナ部３４およびリーダライタ用制御部３５に供給するリーダライタ用電源部３６とをさらに有している。リーダライタ用制御部３５は、ＬＥＤ３１の点灯／消灯、およびリング３２の点灯／消灯または点滅の制御も行う。
なお、メイン制御部４０からリーダライタ用制御部３５を介して行われるＬＥＤ３１の点灯／消灯の制御、およびリング３２の点灯／消灯または点滅の制御の具体的な方法が特に限定されることはない。例えば、リーダライタ用制御部３５が制御回路（アナログ回路、デジタル回路、アナログーデジタル混在回路など）からなる場合、メイン制御部４０は、ＬＥＤ３１の点灯／消灯、およびリング３２の点灯／消灯または点滅を、電気的に直接に制御することができる。また、リーダライタ用制御部３５がＣＰＵなどの演算装置からなる場合、メイン制御部４０は、ソフトウェアによるコマンドなどから構成される指令をリーダライタ用制御部３５に送信することにより、ＬＥＤ３１の点灯／消灯、およびリング３２の点灯／消灯または点滅を制御することができる。
【００３６】
操作部
次に図５および図６（ａ）（ｂ）を参照して、操作部２２についてさらに説明する。図５に示すように、操作部２２は、決済方法を選択する決済方法選択画面２７と、撮影を開始する撮影ボタンを含む撮影選択画面２８とを有している。このうち決済方法選択画面２７は、図６（ａ）に示すように、現金での決済を選択する現金ボタン２７ａと、非接触ＩＣカード５０による決済を選択する電子マネーボタン２７ｂとを含んでいる。また撮影選択画面２８は、図６（ｂ）に示すように、プリンタ１９による証明写真のプリントアウトを伴う撮影を開始する本番撮影ボタン（撮影ボタン）２８ｂと、プリントアウトを伴わない撮影を開始する練習撮影ボタン２８ａと、を含んでいる。操作部２２に表示される画面の切り替えは、メイン制御部４０により制御される。また、各ボタン２７ａ，２７ｂ，２８ａ，２８ｂが押された旨の情報は、メイン制御部４０に送られる。
【００３７】
次に、このような構成からなる本実施の形態の作用について説明する。ここでは、図１を参照して、証明写真撮影装置１０による証明写真の撮影手順について説明する。
【００３８】
証明写真の撮影手順
図１は、証明写真撮影装置１０による証明写真の撮影手順を示すシーケンス図である。
【００３９】
初期状態において、メイン制御部４０からリーダライタ用制御部３５への動作指示は解除されており、このため図１に示すように、初期状態において、非接触ＩＣカード用リーダライタ３０のＬＥＤ３１およびリング３２は消灯状態となっている。また操作部２２には決済方法選択画面２７が表示されている。
【００４０】
決済方法選択画面２７において、非接触ＩＣカード５０による決済が被撮影者により選択されると（Ｓ１０１）、メイン制御部４０は、非接触ＩＣカード用リーダライタ３０が動作可能状態となるよう、リーダライタ用制御部３５に動作指示を出す（Ｓ１０２）。リーダライタ用制御部３５は、メイン制御部４０からの動作指示を受けると、ＬＥＤ３１に対して点灯命令を出す（Ｓ１０４）。これによって、図１に示すように、非接触ＩＣカード用リーダライタ３０のＬＥＤ３１が点灯状態となる。
【００４１】
次に、メイン制御部４０は、図１に示すように、非接触ＩＣカード用リーダライタ３０が決済待ち状態となるようリーダライタ用制御部３５を制御する（Ｓ１０５）。これによって、非接触ＩＣカード用リーダライタ３０が決済待ち状態となるとともに、リーダライタ用制御部３５からの制御（Ｓ１０６）によりリング３２が点灯状態となる。
【００４２】
その後、被撮影者によって非接触ＩＣカード５０が非接触ＩＣカード用リーダライタ３０にかざされると、リーダライタ用制御部３５がその旨をメイン制御部４０に報告し（Ｓ１０７）、これによって、非接触ＩＣカード５０による決済が完了する。また図１に示すように、このとき、リーダライタ用制御部３５からの制御（Ｓ１０８）によりリング３２が消灯状態となる。
【００４３】
非接触ＩＣカード５０による決済が完了した後、メイン制御部４０は、非接触ＩＣカード用リーダライタ３０が動作不能状態となるよう、リーダライタ用制御部３５への動作指示を解除する（Ｓ１０９）。リーダライタ用制御部３５は、メイン制御部４０からの動作指示が解除されると、ＬＥＤ３１に対して消灯命令を出す（Ｓ１１１）。このことにより、図１に示すように、非接触ＩＣカード用リーダライタ３０のＬＥＤ３１が消灯状態となる。
【００４４】
次に、メイン制御部４０は、図１に示すように、操作部２２に撮影選択画面２８を表示させる（Ｓ１１２）。その後、被撮影者により撮影選択画面２８の本番撮影ボタン２８ｂが押されると（Ｓ１１３）、メイン制御部４０は、操作部２２の表示画面が消灯状態となるよう操作部２２を制御する（Ｓ１１４）。次に、メイン制御部４０は、証明写真の撮影が行われるよう撮影装置１８を制御し（Ｓ１１５）、最後に、メイン制御部４０は、撮影された証明写真がプリントアウトされるようプリンタ１９を制御する（Ｓ１１６）。このようにして、証明写真撮影装置１０による証明写真の撮影およびプリントアウトが行われる。
【００４５】
この間、撮影装置１８によって証明写真が撮影されるとき、非接触ＩＣカード用リーダライタ３０のＬＥＤ３１は、メイン制御部４０からの制御によって消灯状態となっている。このため、証明写真の撮影中、被撮影者の一部にＬＥＤ３１の点灯が映り込むことはない。このことにより、ＬＥＤ３１の点灯の映り込みがない証明写真を確実に撮影することができる。
【００４６】
このように本実施の形態によれば、メイン制御部４０は、決済方法選択画面２７において非接触ＩＣカード５０による決済が選択された場合に、非接触ＩＣカード用リーダライタ３０のＬＥＤ３１を点灯させ、次に、非接触ＩＣカード用リーダライタ３０において非接触ＩＣカード５０による決済が完了した場合に、非接触ＩＣカード用リーダライタ３０のＬＥＤ３１を消灯させ、その後、撮影装置１８によって証明写真を撮影するよう、撮影装置１８、操作部２２および非接触ＩＣカード用リーダライタ３０を制御する。このため、撮影装置１８によって証明写真が撮影されている間、非接触ＩＣカード用リーダライタ３０のＬＥＤ３１を消灯させることができる。このことにより、証明写真の撮影中、被撮影者の一部にＬＥＤ３１の点灯が映り込むのを防ぐことができる。
【００４７】
また本実施の形態によれば、非接触ＩＣカード用リーダライタ３０のＬＥＤ３１は、非接触ＩＣカード用リーダライタ３０が動作可能状態である場合に点灯され、非接触ＩＣカード用リーダライタ３０が動作不能状態である場合に消灯される。このように本実施の形態によれば、必要な時にのみＬＥＤ３１が点灯されるので、ＬＥＤを常に点灯させる形態に比べて、ＬＥＤ３１の経年劣化の度合いを緩やかにすることができる。このことにより、ＬＥＤ３１の寿命を長くすることができ、これによって、証明写真撮影装置１０のランニングコストを低減することができる。
【００４８】
また本実施の形態によれば、はじめに非接触ＩＣカード５０による決済が行われ、次に撮影装置１８による証明写真の撮影が行われ、最後に証明写真のプリントアウトが行われる。このようなプリントアウトまでの流れは、証明写真撮影の決済を現金により行う従来の証明写真撮影装置におけるプリントアウトまでの流れと略同一となっている。このため本実施の形態によれば、メイン制御部４０用のソフトウェアとして、従来の現金決済の証明写真撮影装置におけるソフトウェアと略同一のものを用いることができる。このことにより、ソフトウェアを新たに開発するコストを低減することができる。
【００４９】
また本実施の形態によれば、上述のように、メイン制御部４０からのＬＥＤ３１の点灯／消灯の制御、およびリング３２の点灯／消灯または点滅の制御が、リーダライタ用制御部３５を介して行われる。このため、リーダライタ用制御部３５に、誤動作防止用の回路を設けておくこと、または誤動作防止用のソフトウェアなどをインストールしておくことなどにより、メイン制御部４０から非接触ＩＣカード用リーダライタ３０に対して誤った指示がなされた場合であっても、ＬＥＤ３１またはリング３２が誤動作するのを防ぐことができる。このように、メイン制御部４０とＬＥＤ３１またはリング３２との間にリーダライタ用制御部３５を介在させることにより、誤動作防止性を向上させることができる。
【００５０】
なお本実施の形態の非接触ＩＣカード用リーダライタ３０において、「動作可能状態」が、メイン制御部４０からリーダライタ用制御部３５に動作指示が出されている状態のことであり、「動作不能状態」が、メイン制御部４０からリーダライタ用制御部３５への動作指示が解除された状態のことである例を示した。また、メイン制御部４０からリーダライタ用制御部３５への動作指示をトリガーとしてＬＥＤ３１が点灯され、メイン制御部４０からリーダライタ用制御部３５への動作指示の解除をトリガーとしてＬＥＤ３１が消灯される例を示した。
しかしながら、これに限られることはなく、「動作可能状態」が、非接触ＩＣカード用リーダライタ３０に電力が供給されている状態のことであり、「動作不能状態」が、非接触ＩＣカード用リーダライタ３０に電力が供給されていない状態のことであってもよい。この場合、メイン制御部４０は、メイン電源部４１から非接触ＩＣカード用リーダライタ３０への電力供給の開始／停止を制御することにより、ＬＥＤ３１の点灯／消灯を制御してもよい。
【００５１】
第２の実施の形態
次に図７を参照して、本発明の第２の実施の形態について説明する。ここで図７は、本発明の第２の実施の形態において、証明写真の撮影手順を示すシーケンス図である。
【００５２】
図７に示す第２の実施の形態は、非接触ＩＣカードによる決済が完了する前に、撮影装置による証明写真の撮影が行われる点が異なるのみであり、他の構成は、図１乃至図６に示す第１の実施の形態と略同一である。図７に示す第２の実施の形態において、図１乃至図６に示す第１の実施の形態と同一部分には同一符号を付して詳細な説明は省略する。
【００５３】
証明写真の撮影手順
図７を参照して、本実施の形態における証明写真の撮影手順について説明する。初期状態において、メイン制御部４０からリーダライタ用制御部３５への動作指示は解除されており、このため図７に示すように、初期状態において、非接触ＩＣカード用リーダライタ３０のＬＥＤ３１およびリング３２は消灯状態となっている。また操作部２２には撮影選択画面２８が表示されている。
【００５４】
被撮影者Ａにより撮影選択画面２８の本番撮影ボタン２８ｂが押されると（Ｓ２０１）、メイン制御部４０は、操作部２２の表示画面が消灯状態となるよう操作部２２を制御する（Ｓ２０２）。次に、メイン制御部４０は、証明写真の撮影が行われるよう撮影装置１８を制御し（Ｓ２０３）、その後、メイン制御部４０は、図７に示すように、操作部２２に決済方法選択画面２７を表示させる（Ｓ２０４）。
【００５５】
決済方法選択画面２７において、非接触ＩＣカード５０による決済が被撮影者Ａにより選択されると（Ｓ２０５）、メイン制御部４０は、非接触ＩＣカード用リーダライタ３０が動作可能状態となるよう、リーダライタ用制御部３５に動作指示を出す（Ｓ２０６）。リーダライタ用制御部３５は、メイン制御部４０からの動作指示を受けると、ＬＥＤ３１に対して点灯命令を出す（Ｓ２０８）。これによって、図７に示すように、非接触ＩＣカード用リーダライタ３０のＬＥＤ３１が点灯状態となる。
【００５６】
次に、メイン制御部４０は、図７に示すように、非接触ＩＣカード用リーダライタ３０が決済待ち状態となるようリーダライタ用制御部３５を制御する（Ｓ２０９）。これによって、非接触ＩＣカード用リーダライタ３０が決済待ち状態となるとともに、リーダライタ用制御部３５からの制御（Ｓ２１０）によりリング３２が点灯状態となる。
【００５７】
その後、被撮影者Ａによって非接触ＩＣカード５０が非接触ＩＣカード用リーダライタ３０にかざされると、リーダライタ用制御部３５がその旨をメイン制御部４０に報告し（Ｓ２１１）、これによって、非接触ＩＣカード５０による決済が完了する。また図７に示すように、このとき、リーダライタ用制御部３５からの制御（Ｓ２１２）によりリング３２が消灯状態となる。
【００５８】
非接触ＩＣカード５０による、被撮影者Ａに対する決済が完了した後、メイン制御部４０は、非接触ＩＣカード用リーダライタ３０が動作不能状態となるよう、リーダライタ用制御部３５への動作指示を解除する（Ｓ２１３）。リーダライタ用制御部３５は、メイン制御部４０からの動作指示が解除されると、ＬＥＤ３１に対して消灯命令を出す（Ｓ２１５）。このことにより、図７に示すように、非接触ＩＣカード用リーダライタ３０のＬＥＤ３１が消灯状態となる。
【００５９】
次に、メイン制御部４０は、撮影された証明写真がプリントアウトされるようプリンタ１９を制御する（Ｓ２１６）。このようにして、証明写真撮影装置１０による証明写真の撮影およびプリントアウトが行われる。その後、被撮影者Ａの次の被撮影者Ｂが証明写真撮影装置１０に訪れると、図７に示すＳ２０１〜Ｓ２１６の撮影手順がメイン制御部４０によって再び実行される。
【００６０】
上述のように、被撮影者Ａに関して、非接触ＩＣカード５０による決済が完了すると、メイン制御部４０からの制御により、非接触ＩＣカード用リーダライタ３０のＬＥＤ３１が消灯状態となる。このため、被撮影者Ａの次の被撮影者Ｂに対して、撮影装置１８による証明写真の撮影が行われるとき、非接触ＩＣカード用リーダライタ３０のＬＥＤ３１は消灯状態となっている。このため、証明写真の撮影中、被撮影者Ｂの一部にＬＥＤ３１の点灯が映り込むことはない。このことにより、ＬＥＤ３１の点灯の映り込みがない証明写真を確実に撮影することができる。
【００６１】
このように本実施の形態によれば、メイン制御部４０は、撮影装置１８によって証明写真を撮影し、次に、決済方法選択画面２７において非接触ＩＣカード５０による決済が選択された場合に、非接触ＩＣカード用リーダライタ３０のＬＥＤ３１を点灯させ、次に、非接触ＩＣカード用リーダライタ３０において非接触ＩＣカード５０による決済が完了した場合に、非接触ＩＣカード用リーダライタ３０のＬＥＤ３１を消灯させるとともに、証明写真のプリントアウトが行われるよう、撮影装置１８、プリンタ１９、操作部２２および非接触ＩＣカード用リーダライタ３０を制御する。このため、撮影装置１８によって証明写真が撮影されている間、非接触ＩＣカード用リーダライタ３０のＬＥＤ３１を消灯させることができる。このことにより、証明写真の撮影中、被撮影者の一部にＬＥＤ３１の点灯が映り込むのを防ぐことができる。
【００６２】
第３の実施の形態
次に図８を参照して、本発明の第３の実施の形態について説明する。ここで図８は、本発明の第３の実施の形態において、証明写真の撮影手順を示すシーケンス図である。
【００６３】
図８に示す第３の実施の形態は、撮影選択画面において撮影ボタンが押された場合に、メイン制御部からの制御によって非接触ＩＣカード用リーダライタのＬＥＤが消灯する点が異なるのみであり、他の構成は、図１乃至図６に示す第１の実施の形態と略同一である。図８に示す第３の実施の形態において、図１乃至図６に示す第１の実施の形態と同一部分には同一符号を付して詳細な説明は省略する。
【００６４】
証明写真の撮影手順
図８を参照して、本実施の形態における証明写真の撮影手順について説明する。図８に示すように、本実施の形態において、非接触ＩＣカード５０による決済が被撮影者により選択されてから（Ｓ３０１）、リーダライタ用制御部３５からの制御（Ｓ３０８）によりリング３２が消灯状態となるまでの手順は、図１乃至図６に示す第１の実施の形態におけるＳ１０１〜Ｓ１０８までの手順と略同一となっている。このため、図８に示すＳ３０１〜Ｓ３０８までの手順についての詳細な説明は省略する。
【００６５】
非接触ＩＣカード５０による決済が完了した後、メイン制御部４０は、図８に示すように、操作部２２に撮影選択画面２８を表示させる（Ｓ３０９）。その後、被撮影者により撮影選択画面２８の本番撮影ボタン２８ｂが押されると（Ｓ３１０）、メイン制御部４０は、非接触ＩＣカード用リーダライタ３０が動作不能状態となるよう、リーダライタ用制御部３５への動作指示を解除する（Ｓ３１１）。リーダライタ用制御部３５は、メイン制御部４０からの動作指示が解除されると、ＬＥＤ３１に対して消灯命令を出す（Ｓ３１３）。このことにより、図８に示すように、非接触ＩＣカード用リーダライタ３０のＬＥＤ３１が消灯状態となる。
【００６６】
次に、メイン制御部４０は、図８に示すように、操作部２２の表示画面が消灯状態となるよう操作部２２を制御する（Ｓ３１４）。その後、メイン制御部４０は、証明写真の撮影が行われるよう撮影装置１８を制御し（Ｓ３１５）、最後に、メイン制御部４０は、撮影された証明写真がプリントアウトされるようプリンタ１９を制御する（Ｓ３１６）。このようにして、証明写真撮影装置１０による証明写真の撮影およびプリントアウトが行われる。
【００６７】
この間、撮影装置１８によって証明写真が撮影されるとき、非接触ＩＣカード用リーダライタ３０のＬＥＤ３１は、メイン制御部４０からの制御によって消灯状態となっている。このため、証明写真の撮影中、被撮影者の一部にＬＥＤ３１の点灯が映り込むことはない。このことにより、ＬＥＤ３１の点灯の映り込みがない証明写真を確実に撮影することができる。
【００６８】
このように本実施の形態によれば、メイン制御部４０は、決済方法選択画面２７において非接触ＩＣカード５０による決済が選択された場合に、非接触ＩＣカード用リーダライタ３０のＬＥＤ３１を点灯させ、次に、非接触ＩＣカード用リーダライタ３０において非接触ＩＣカード５０による決済が完了し、その後、撮影選択画面２８において本番撮影ボタン２８ｂが押された場合に、非接触ＩＣカード用リーダライタ３０のＬＥＤ３１を消灯させ、次に、撮影装置１８によって証明写真を撮影するよう、撮影装置１８、操作部２２および非接触ＩＣカード用リーダライタ３０を制御する。このため、撮影装置１８によって証明写真が撮影されている間、非接触ＩＣカード用リーダライタ３０のＬＥＤ３１を消灯させることができる。このことにより、証明写真の撮影中、被撮影者の一部にＬＥＤ３１の点灯が映り込むのを防ぐことができる。
【００６９】
なお本実施の形態において、操作部２２の表示画面が消灯状態とされる（Ｓ３１４）前に、非接触ＩＣカード用リーダライタ３０が動作不能状態となるよう、リーダライタ用制御部３５への動作指示が解除され（Ｓ３１１）、これによって非接触ＩＣカード用リーダライタ３０のＬＥＤ３１が消灯される例を示した。しかしながら、これに限られることはなく、操作部２２の表示画面が消灯状態とされた（Ｓ３１４）後であって、撮影装置１８による証明写真の撮影が行われる（Ｓ３１５）前に、非接触ＩＣカード用リーダライタ３０が動作不能状態となるようリーダライタ用制御部３５への動作指示が解除されてもよい。
【００７０】
第４の実施の形態
次に図９を参照して、本発明の第４の実施の形態について説明する。ここで図９は、本発明の第４の実施の形態において、証明写真の撮影手順を示すシーケンス図である。
【００７１】
図９に示す第４の実施の形態は、撮影選択画面において撮影ボタンが押された場合に、メイン制御部からの制御によって非接触ＩＣカード用リーダライタのＬＥＤが消灯する点が異なるのみであり、他の構成は、図７に示す第２の実施の形態と略同一である。図９に示す第４の実施の形態において、図７に示す第２の実施の形態と同一部分には同一符号を付して詳細な説明は省略する。
【００７２】
証明写真の撮影手順
図９を参照して、本実施の形態における証明写真の撮影手順について説明する。初期状態において、メイン制御部４０は、非接触ＩＣカード用リーダライタ３０が動作可能状態となるよう、リーダライタ用制御部３５に動作指示を出しており、このため図９に示すように、初期状態において、非接触ＩＣカード用リーダライタ３０のＬＥＤ３１は点灯状態となっている。また操作部２２には撮影選択画面２８が表示されている。
【００７３】
被撮影者により撮影選択画面２８の本番撮影ボタン２８ｂが押されると（Ｓ４０１）、メイン制御部４０は、非接触ＩＣカード用リーダライタ３０が動作不能状態となるよう、リーダライタ用制御部３５への動作指示を解除する（Ｓ４０２）。リーダライタ用制御部３５は、メイン制御部４０からの動作指示が解除されると、ＬＥＤ３１に対して消灯命令を出す（Ｓ４０４）。このことにより、図９に示すように、非接触ＩＣカード用リーダライタ３０のＬＥＤ３１が消灯状態となる。
【００７４】
次に、メイン制御部４０は、図９に示すように、操作部２２の表示画面が消灯状態となるよう操作部２２を制御し（Ｓ４０５）、その後、メイン制御部４０は、証明写真の撮影が行われるよう撮影装置１８を制御する（Ｓ４０６）。
【００７５】
撮影装置１８による証明写真の撮影の後、メイン制御部４０は、図９に示すように、操作部２２に決済方法選択画面２７を表示させる（Ｓ４０７）。決済方法選択画面２７において、非接触ＩＣカード５０による決済が被撮影者により選択されると（Ｓ４０８）、その後、非接触ＩＣカード５０による決済のための一連の手順が実行される。図９に示すように、本実施の形態において、非接触ＩＣカード５０による決済が被撮影者により選択されてから（Ｓ４０８）、リーダライタ用制御部３５からの制御（Ｓ４１５）によりリング３２が消灯状態となるまでの手順は、図７に示す第２の実施の形態におけるＳ２０５〜Ｓ２１２までの手順と略同一となっている。このため、図９に示すＳ４０８〜Ｓ４１５までの手順についての詳細な説明は省略する。
【００７６】
非接触ＩＣカード５０による決済が完了した後、メイン制御部４０は、図９に示すように、撮影された証明写真がプリントアウトされるようプリンタ１９を制御する（Ｓ４１６）。このようにして、証明写真撮影装置１０による証明写真の撮影およびプリントアウトが行われる。
【００７７】
この間、撮影装置１８によって証明写真が撮影されるとき、非接触ＩＣカード用リーダライタ３０のＬＥＤ３１は、メイン制御部４０からの制御によって消灯状態となっている。このため、証明写真の撮影中、被撮影者の一部にＬＥＤ３１の点灯が映り込むことはない。このことにより、ＬＥＤ３１の点灯の映り込みがない証明写真を確実に撮影することができる。
【００７８】
このように本実施の形態によれば、メイン制御部４０は、撮影選択画面２８において本番撮影ボタン２８ｂが押された場合に、非接触ＩＣカード用リーダライタ３０のＬＥＤ３１を消灯させ、その後、撮影装置１８によって証明写真を撮影し、次に、決済方法選択画面２７において非接触ＩＣカード５０による決済が選択された場合に、非接触ＩＣカード用リーダライタ３０のＬＥＤ３１を点灯させ、その後、非接触ＩＣカード用リーダライタ３０において非接触ＩＣカード５０による決済が完了した場合に、証明写真のプリントアウトが行われるよう、撮影装置１８、プリンタ１９、操作部２２および非接触ＩＣカード用リーダライタ３０を制御する。このため、撮影装置１８によって証明写真が撮影されている間、非接触ＩＣカード用リーダライタ３０のＬＥＤ３１を消灯させることができる。このことにより、証明写真の撮影中、被撮影者の一部にＬＥＤ３１の点灯が映り込むのを防ぐことができる。
【００７９】
なお本実施の形態において、操作部２２の表示画面が消灯状態とされる（Ｓ４０５）前に、非接触ＩＣカード用リーダライタ３０が動作不能状態となるよう、リーダライタ用制御部３５への動作指示が解除され（Ｓ４０２）、これによって非接触ＩＣカード用リーダライタ３０のＬＥＤ３１が消灯される例を示した。しかしながら、これに限られることはなく、操作部２２の表示画面が消灯状態とされた（Ｓ４０５）後であって、撮影装置１８による証明写真の撮影が行われる（Ｓ４０６）前に、非接触ＩＣカード用リーダライタ３０が動作不能状態となるようリーダライタ用制御部３５への動作指示が解除されてもよい。
【００８０】
第５の実施の形態
次に図１０を参照して、本発明の第５の実施の形態について説明する。ここで図１０は、本発明の第５の実施の形態において、証明写真の撮影手順を示すシーケンス図である。
【００８１】
図１０に示す第５の実施の形態においては、はじめに決済方法として非接触ＩＣカードによる決済が選択され、次に撮影装置による撮影が行われる。その後、非接触ＩＣカードによる決済が行われ、最後に、撮影された証明写真がプリンタによりプリントアウトされる。図１０に示す第５の実施の形態において、図１乃至図６に示す第１の実施の形態と同一部分には同一符号を付して詳細な説明は省略する。
【００８２】
証明写真の撮影手順
図１０を参照して、本実施の形態における証明写真の撮影手順について説明する。初期状態において、メイン制御部４０は、非接触ＩＣカード用リーダライタ３０が動作可能状態となるよう、リーダライタ用制御部３５に動作指示を出しており、このため図１０に示すように、初期状態において、非接触ＩＣカード用リーダライタ３０のＬＥＤ３１は点灯状態となっている。また操作部２２には決済方法選択画面２７が表示されている。
【００８３】
決済方法選択画面２７において、非接触ＩＣカード５０による決済が被撮影者により選択されると（Ｓ５０１）、メイン制御部４０は、次に、操作部２２に撮影選択画面２８を表示させる（Ｓ５０２）。その後、被撮影者により撮影選択画面２８の本番撮影ボタン２８ｂが押されると（Ｓ５０３）、メイン制御部４０は、非接触ＩＣカード用リーダライタ３０が動作不能状態となるよう、リーダライタ用制御部３５への動作指示を解除する（Ｓ５０４）。リーダライタ用制御部３５は、メイン制御部４０からの動作指示が解除されると、ＬＥＤ３１に対して消灯命令を出す（Ｓ５０６）。このことにより、図１０に示すように、非接触ＩＣカード用リーダライタ３０のＬＥＤ３１が消灯状態となる。
【００８４】
次に、メイン制御部４０は、図１０に示すように、操作部２２の表示画面が消灯状態となるよう操作部２２を制御し（Ｓ５０７）、その後、メイン制御部４０は、証明写真の撮影が行われるよう撮影装置１８を制御する（Ｓ５０８）。
【００８５】
撮影装置１８による証明写真の撮影の後、メイン制御部４０は、図１０に示すように、非接触ＩＣカード用リーダライタ３０が動作可能状態となるよう、リーダライタ用制御部３５に動作指示を出す（Ｓ５０９）。リーダライタ用制御部３５は、メイン制御部４０からの動作指示を受けると、ＬＥＤ３１に対して点灯命令を出す（Ｓ５１１）。これによって、図１０に示すように、非接触ＩＣカード用リーダライタ３０のＬＥＤ３１が点灯状態となる。
【００８６】
次に、メイン制御部４０は、図１０に示すように、非接触ＩＣカード用リーダライタ３０が決済待ち状態となるようリーダライタ用制御部３５を制御する（Ｓ５１２）。これによって、非接触ＩＣカード用リーダライタ３０が決済待ち状態となるとともに、リーダライタ用制御部３５からの制御（Ｓ５１３）によりリング３２が点灯状態となる。
【００８７】
その後、被撮影者によって非接触ＩＣカード５０が非接触ＩＣカード用リーダライタ３０にかざされると、リーダライタ用制御部３５がその旨をメイン制御部４０に報告し（Ｓ５１４）、これによって、非接触ＩＣカード５０による決済が完了する。また図１０に示すように、このとき、リーダライタ用制御部３５からの制御（Ｓ５１５）によりリング３２が消灯状態となる。
【００８８】
非接触ＩＣカード５０による決済が完了した後、メイン制御部４０は、図１０に示すように、撮影された証明写真がプリントアウトされるようプリンタ１９を制御する（Ｓ５１６）。このようにして、証明写真撮影装置１０による証明写真の撮影およびプリントアウトが行われる。
【００８９】
この間、撮影装置１８によって証明写真が撮影されるとき、非接触ＩＣカード用リーダライタ３０のＬＥＤ３１は、メイン制御部４０からの制御によって消灯状態となっている。このため、証明写真の撮影中、被撮影者の一部にＬＥＤ３１の点灯が映り込むことはない。このことにより、ＬＥＤ３１の点灯の映り込みがない証明写真を確実に撮影することができる。
【００９０】
このように本実施の形態によれば、メイン制御部４０は、決済方法選択画面２７において非接触ＩＣカード５０による決済が選択された場合であって、その後に撮影選択画面２８において本番撮影ボタン２８ｂが押された場合に、非接触ＩＣカード用リーダライタ３０のＬＥＤ３１を消灯させ、次に、撮影装置１８によって証明写真を撮影し、その後、非接触ＩＣカード用リーダライタ３０のＬＥＤ３１を点灯させ、次に、非接触ＩＣカード用リーダライタ３０において非接触ＩＣカード５０による決済が完了した場合に、証明写真のプリントアウトが行われるよう、撮影装置１８、プリンタ１９、操作部２２および非接触ＩＣカード用リーダライタ３０を制御する。このため、撮影装置１８によって証明写真が撮影されている間、非接触ＩＣカード用リーダライタ３０のＬＥＤ３１を消灯させることができる。このことにより、証明写真の撮影中、被撮影者の一部にＬＥＤ３１の点灯が映り込むのを防ぐことができる。
【００９１】
なお本実施の形態において、操作部２２の表示画面が消灯状態とされる（Ｓ５００７）前に、非接触ＩＣカード用リーダライタ３０が動作不能状態となるよう、リーダライタ用制御部３５への動作指示が解除され（Ｓ５０４）、これによって非接触ＩＣカード用リーダライタ３０のＬＥＤ３１が消灯される例を示した。しかしながら、これに限られることはなく、操作部２２の表示画面が消灯状態とされた（Ｓ５０７）後であって、撮影装置１８による証明写真の撮影が行われる（Ｓ５０８）前に、非接触ＩＣカード用リーダライタ３０が動作不能状態となるようリーダライタ用制御部３５への動作指示が解除されてもよい。
【００９２】
また本実施の形態において、初期状態のとき、メイン制御部４０が、非接触ＩＣカード用リーダライタ３０が動作可能状態となるよう、リーダライタ用制御部３５に動作指示を出している例を示した。しかしながら、これに限られることはなく、初期状態のとき、メイン制御部４０からリーダライタ用制御部３５への動作指示が解除されていてもよい。この場合、決済方法選択画面２７において、非接触ＩＣカード５０による決済が被撮影者により選択されたとき（Ｓ５０１）、メイン制御部４０は、非接触ＩＣカード用リーダライタ３０が動作可能状態となるよう、リーダライタ用制御部３５に動作指示を出してもよい。これによって、非接触ＩＣカード５０による決済が被撮影者により選択されてから、被撮影者により本番撮影ボタン２８ｂが押されるまでの間、被撮影者は、非接触ＩＣカード５０を非接触ＩＣカード用リーダライタ３０にかざすことにより電子マネーの残高を確認することができる。
【００９３】
また上記各実施の形態において、情報記憶媒体が非接触ＩＣカード５０からなり、また情報記憶媒体用リーダライタが非接触ＩＣカード用リーダライタ３０からなり、非接触ＩＣカード用リーダライタ３０により、被撮影者が所有する非接触ＩＣカード５０の情報記憶部の情報の読み取り、または情報記憶部への情報の書き込みが行われる例を示した。しかしながら、これに限られることはなく、情報記憶媒体用リーダライタは、被撮影者が有する様々な接触式または非接触式の情報記憶媒体との間で、情報記憶媒体の情報記憶部の情報の読み取り、または情報記憶部への情報の書き込みを行うものであってもよい。例えば、情報記憶媒体用リーダライタは、携帯電話に組み込まれた電子マネー機能に関する情報の読み取りおよび書き込みを行うものであってもよく、または、接触式のプリペイドカード、クレジットカードなどが有する情報の読み取りおよび書き込みを行うものであってもよい。
【００９４】
また上記各実施の形態において、メイン制御部４０からリーダライタ用制御部３５への動作指示が解除されることによってＬＥＤ３１が消灯される例を示した。しかしながら、これに限られることはなく、非接触ＩＣカード用リーダライタ３０の仕様・構成などに応じて、ＬＥＤ３１を消灯させる手段を適宜選択することができる。例えば、ＬＥＤ３１を消灯させるための外部入力ピンが非接触ＩＣカード用リーダライタ３０に設けられている場合、当該外部入力ピンへの信号をメイン制御部４０によって制御することによりＬＥＤ３１を消灯させてもよい。
【００９５】
また上記各実施の形態において、ＬＥＤ３１が、非接触ＩＣカード用リーダライタ３０が動作可能状態である場合に点灯され、非接触ＩＣカード用リーダライタ３０が動作不能状態である場合に消灯される例を示した。しかしながら、これに限られることはなく、ＬＥＤ３１によって非接触ＩＣカード用リーダライタ３０の様々な状態を表現することができる。例えば、非接触ＩＣカード用リーダライタ３０に何らかの障害が生じているときにＬＥＤ３１が点灯してもよい。
【００９６】
また上記各実施の形態において、写真撮影装置が、ボックス形状を有する証明写真撮影装置１０からなる例を示した。しかしながら、これに限られることはなく、本発明の写真撮影装置が、ボックス形状を有さない写真撮影装置からなっていてもよい。ボックス形状を有さない写真撮影装置としては、例えば、カーテンで仕切られた撮影空間内の被撮影者を撮影してシール写真を作製するシール写真撮影装置（いわゆるプリクラ装置）などが挙げられる。このような写真撮影装置は、収納空間内に配置された撮影装置１８を備えており、収納空間を画定する壁には、撮影窓２１、操作部２２および非接触ＩＣカード用リーダライタ３０が設けられている。このような写真撮影装置においても、非接触ＩＣカード用リーダライタ３０が、被撮影者が所有する非接触ＩＣカード５０を読み取ることにより決済が行われる。この場合、本発明の写真撮影装置のメイン制御部によって非接触ＩＣカード用リーダライタ３０のＬＥＤ３１の点灯／消灯を制御することにより、写真の撮影中、被撮影者の一部にＬＥＤ３１の点灯が映り込むのを防ぐことができる。
【００９７】
また上記各実施の形態において、非接触ＩＣカード用リーダライタ３０が所定の状態となっていることを示す表示灯が、ＬＥＤ３１からなる例を示した。しかしながら、これに限られることはなく、非接触ＩＣカード用リーダライタ３０の表示灯が、電球、ネオン管またはＥＬ等の表示手段からなっていてもよい。また、ＬＥＤ３１の場合と同様に、表示灯を構成するこれらの表示手段から放出される光の輝度が、操作部２２から放出される光の輝度よりも高くなっていてもよい。
【符号の説明】
【００９８】
１０    証明写真撮影装置
１１    ボックス本体
１１ａ  天井部
１１ｂ  一方の側壁
１１ｃ  他方の側壁
１２    出入口
１３    遮光カーテン
１４    写真取出部
１５    撮影空間
１６    収納空間
１７    椅子
１８    撮影装置
１９    プリンタ
２０    内壁
２１    撮影窓
２２    操作部
２３    照明部
２４    現金課金部
２４ａ  紙幣投入部
２４ｂ  硬貨投入部
２４ｃ  返却レバー
２５    釣銭取出部
２６    スピーカ
２７    決済方法選択画面
２７ａ  現金決済選択ボタン
２７ｂ  ＩＣカード決済選択ボタン
２８    撮影選択画面
２８ａ  練習撮影ボタン
２８ｂ  本番撮影ボタン
３０    非接触ＩＣカード用リーダライタ
３１    ＬＥＤ
３２    リング
３３    標識
３４    アンテナ部
３５    リーダライタ用制御部
３６    リーダライタ用電源部
４０    メイン制御部
４１    メイン電源部
５０    非接触ＩＣカード
１００    飲料用自動販売機
１０１    非接触ＩＣカード用リーダライタ
１０２    ＬＥＤ 
【図１】
0005493889.tif 000002
【図２】
0005493889.tif 000003
【図３】
0005493889.tif 000004
【図４】
0005493889.tif 000005
【図５】
0005493889.tif 000006
【図６】
0005493889.tif 000007
【図７】
0005493889.tif 000008
【図８】
0005493889.tif 000009
【図９】
0005493889.tif 000010
【図１０】
0005493889.tif 000011
【図１１】
0005493889.tif 000012